(57)【特許請求の範囲】
【請求項１】
流体処理組立体（１３）と、処理される流体を処理組立体（１３）に供給すると共に処理された流体を受け取るための手段（１０）とを含み、前記流体処理組立体は、コネクタ（２１1−２１3）及び二つの側方拡張部（２０）を有するヘッド（１９）を含み、各側方拡張部は協働機能面（３７）を形成する開口（２７）を有し、前記手段は、前記コネクタ（２１1−２１3）に対して相補型のコネクタ（３６1−３６3）と二つの支持アーム（１２）とを含み、各支持アームは、反対側の内側面の方を向く内側面に凹部（１６）を有し、前記流体処理組立体（１３）のヘッド（１９）は、前記流体処理組立体のコネクタ（２１1−２１3）を前記手段のコネクタ（３６1−３６3）に対し前方にしてこれらを相互に係合させて前記手段から処理組立体への及びこの逆方向への流体の流れを確立するため、各側方拡張部（２０）が各凹部（１６）内に挿入されつつ前記支持アーム（１２）間に取り外し可能に取り付けられように適合され、各凹部（１６）は支持面（１８）と支持面（１８）から突出するヒール部分（１７）を含み、ヒール部分（１７）は前記開口（２７）にぴったり重なるように適合され、かつ協働機能面（３８、３８’）を含み、支持面（１８）と協働機能面（３８、３８’）はこれらの間に二面角（２５）を形成し、前記協働機能面（３７、３８、３８’）は、相互接触状態になることができ、この相互接触により、流体処理組立体（１３）のヘッド（１９）を平行移動運動しないように固定化して、ヘッド（１９）が支持アーム（１２）間に取り付けられて、ヒール部分（１７）が前記開口（２７）にぴったり重なりかつ側方拡張部（２０）が支持面（１８）上に載っている際に前記コネクタ（２１1−２１3、３６1−３６3）の相互係合を保つと共に、支持アーム（１２）からヘッド（１９）を取り外すため、相互係合されたコネクタ（２１1−２１3、３６1−３６3）に案内されて支持アーム（１２）に対して傾斜させることに前記二面角（２５）によって限定される動作をヘッド（１９）に適用することによってヘッド（１９）が解放されることを可能にすることを特徴とする流体処理システム。
【請求項２】
各凹部（１６）は、凹部（１６）を含む支持アーム（１２）と関連する側方拡張部（２０）を、供給・受取手段（１０）のコネクタ（３６1−３６3）に向けて案内するために傾斜面（２８）によって縁取られ、傾斜面（２８）は、前記支持面（１８）の上方にあることを特徴とする請求項１に記載の流体処理システム。
【請求項３】
前記処理組立体（１３）のヘッド（１９）は、ユーザの各親指のための支持部材（３３）を含み、各支持アーム（１２）は、ユーザの各手の親指を除く少なくともいくつかの指のための支持部材（３４）を含み、これらの支持部材は、ユーザが、供給・受取手段（１０）を動かすことなく、処理組立体（１３）のヘッド（１９）を支持アーム（１２）に取り付けるためにユーザの親指で処理組立体（１３）を動かすことを可能にするように適合され構成されることを特徴とする請求項１に記載の流体処理システム。
【請求項４】
各支持アーム（１２）は、処理組立体（１３）のヘッド（１９）が支持アーム（１２）から取り外される際に供給・受取手段（１０）が動くことを防ぐため、供給・受取手段（１０）のコネクタに対し前記前方の端部において、ユーザの親指の一つを受けるように適合される支持面（３５）を更に含むことを特徴とする請求項１に記載の流体処理システム。
【請求項５】
各ヒール部分（１７）は、その頂部と協働機能面（３８、３８’）との間に傾斜面（２９）を有し、傾斜面（２９）は、前記傾斜面（２８）の方を向き、かつ、ユーザが処理組立体（１３）のヘッド（１９）を傾ける際に、関連する側方拡張部（２０）の協働機能面（３７）を、対応する二面角（２５）に向けて案内するように適合されることを特徴とする請求項２に記載の流体処理システム。
【請求項６】
各支持アーム（１２）は、ノッチ（３０）を含み、ノッチ（３０）は、供給・受取手段（１０）のコネクタ（３６1−３６3）から離れる前記前方の支持アームの端部まで凹部（１６）を延ばし、かつ、側方拡張部（２０）における開口（２７）から前記前方の部分に対する支持面（３１）を形成することを特徴とする請求項１に記載の流体処理システム。
【請求項７】
前記流体処理組立体は、流体処理手段を収容する少なくとも一つの流体処理モジュール（１４、１５）を含むことを特徴とする請求項１から６のいずれか一に記載の流体処理システム。
【請求項８】
前記流体処理モジュール、又は流体処理モジュールの一つは、逆浸透、ナノ濾過、限外濾過又は接線精密濾過によって流体を処理するための流体処理手段を収容することを特徴とする請求項７に記載の流体処理システム。
【請求項９】
前記流体処理モジュール又は各流体処理モジュール（１４、１５）は、一体型使い捨てユニットであることを特徴とする請求項７に記載の流体処理システム。
【請求項１０】
供給・受取手段（１０）は、純水生成ユニットの形態を採ることを特徴とする請求項１から９のいずれか一に記載の流体処理システム。
【発明の詳細な説明】
【技術分野】
【０００１】
本発明は、流体処理組立体と、該流体処理組立体に処理される流体を供給すると共に処理された流体を受け取るための手段とを備える流体処理システムに関する。上記供給・受取手段は、処理組立体と供給・受取手段の相補型コネクタを相互に結合して、供給・受取手段から処理組立体への及びその逆方向の流体の流れを確立するため、処理組立体が取り外し可能に取り付けられるように企図される支持構造体を含む。
【０００２】
更に詳しくは、本発明は、流体処理組立体が、逆浸透、ナノ濾過、限外濾過又は接線精密濾過により流体を処理するための少なくとも一つのモジュールを含む状況に向けられる。
【背景技術】
【０００３】
上記のような種類のシステムは、とりわけ、純水（浄水）、特に超純水を生成するために使用される。
【０００４】
特に、相補型コネクタ内を流れる流体が及ぼす圧力に対して該コネクタの相互係合を維持するため、各モジュールは、限定はしないが、通常、純水を製造するためのユニットからなる供給・受取手段に取り付けられた際に平行移動運動しないように固定されなければならない。この点は、当業界において知られている。
【０００５】
この目的のため、技術的に既知の一の構成において、上記ユニットには、対面するように向けられた二つの支持体を含む連結装置が設けられる。各支持体は、モジュールの対応する側方（横方向）拡張部に対する支持面を形成する。各支持体は、モジュールが平行移動運動しないようにこれを固定するため、対応する側方拡張部の縦方向端部を受け入れるノッチ（切欠き）を含む。
【０００６】
モジュールを交換するため、モジュールをユニットの方へ押して各拡張部を関連するノッチから抜き、次いで、モジュールのヘッドをユニットの方へ傾けて、拡張部をノッチから引き離すことにより、モジュールは解放される。この際、モジュールは連結装置から取り外すことができる。
【０００７】
モジュールを解放するためにモジュールを押すことは、ほぼ常に、ユニットの運動をもたらす。
【発明の開示】
【発明が解決しようとする課題】
【０００８】
本発明の一般的な目的は、この欠点を改善し、他の利点を有する構成を提供することである。
【課題を解決するための手段】
【０００９】
より正確には、本発明は、流体処理組立体と、処理組立体に処理される流体を供給すると共に処理された流体を受け取るための手段とを含む流体処理組立体を提供する。上記手段は支持構造体を含み、処理組立体は、供給・受取手段から処理組立体への及びこれとは逆方向への流体の流れを確立するため、処理組立体の相互の相補型コネクタと相互に係合するように、取り外し可能に支持構造体に取り付けられるように適合される。このシステムは、処理組立体及び支持構造体に形成された次のような協働（協調）機能面を有することを特徴とし、これら機能面は、処理組立体が支持構造体に取り付けられた際、相補型コネクタの相互係合を保つため、相互に接触して処理組立体を平行移動運動（並進運動）しないように固定することができ、また、支持構造体に対して傾けることに限定される動作を処理組立体に適用することにより処理組立体が解放され、相互係合した相補型コネクタによって案内され、支持構造体から処理組立体が取り外されることを可能にする。
【００１０】
換言すれば、処理組立体を解放するために該組立体を押す必要はない。従って、実際、処理システムの運動の危険性が完全に除去される。この押す運動を除去することはまた、モジュールを取り去る動作をも簡単にする。
【００１１】
例えば、上記協働面を形成するため、処理組立体又は支持構造体のいずれかは、少なくとも一つの二面角又は少なくとも一つの凹部を含み、少なくとも一つの二面角又は少なくとも一つの凹部を含んでいない処理組立体又は支持構造体のいずれかは、上記二面又は凹部の形状に対し相補的な形状を有する少なくとも一つの斜面（面取り部）又は少なくとも一つの凸部を有する。
【００１２】
もちろん、上記の機能を保証するならば、他の協働面構成も考えられ得る。
【００１３】
実施に移すことが容易な一の特定の実施形態において、支持構造体は、二つの対面支持アームを含む、各支持アームは、処理組立体の対応する側方拡張部に対する支持面を形成する。
【００１４】
この特定の実施形態は、特に組立体の便利な組立て及び／又は使用のため、以下の好ましい機能の実行に適する：
【００１５】
すなわち、各側方拡張部が斜面又は凸部を有し、各支持アームがヒール部分を有し、ヒール部分が、支持アームの支持面と共に二面角を形成するか、又は、支持アームの支持面とヒール部分の頂部との間に延びる凹部を有すること；
【００１６】
及び／又は、各側方拡張部が、好ましくはノッチ（切欠き）の形態を採る、斜面又は凸部によって縁取られた開口を含み、対応する支持アームのヒール部分が、該開口に入り込むように適合されること；
【００１７】
及び／又は、各支持アームが、反対側の支持アームの内側面と向かい合う内側面に凹部を有し、また、支持アームのヒール部分及び支持面を形成すること；
【００１８】
及び／又は、各凹部が、凹部を含む支持アームと関連する側方拡張部を供給・受取手段のコネクタに向けて案内するための傾斜面によって縁取られ、該傾斜面が凹部によって形成された支持面の上に横たわること；
【００１９】
及び／又は、各支持アームがノッチを含み、ノッチは、供給・受取手段のコネクタから最も遠い支持アームの端部まで凹部を延ばすと共に、側方拡張部の開口から、処理組立体のコネクタの流体入口・出口オリフィスから最も遠い支持アームの縦方向端部まで延びる関連する側方拡張部の部分のための支持面を形成すること、である。
【００２０】
流体処理組立体が取り付けられた際、供給・受取手段が動くことを防ぐため、特に、これらが純水を製造するためのユニットの形態を採る場合、処理組立体は、好ましくは、ユーザの各親指のための支持（支承）部材を含む。また、各支持アームは、ユーザの各手の少なくともいくつかの指（親指を除く）のための支持部材を含む。これら支持部材は、供給・受取手段を動かすことなく、処理組立体を支持構造体に取り付けるため、ユーザが親指で処理組立体を移動させることを可能にするように適合され構成される。
【００２１】
逆に、各支持アームは、処理組立体が解放後に取り去られる際にユニットの動きを防止するため、ユーザの一方の親指を受けるように適合された支持面を、供給・受取手段のコネクタから最も遠い端部に更に有利に含む。
【００２２】
処理組立体の取り付けを容易にするため、各ヒール部分は、その頂部と機能面との間に傾斜面を好ましく含む。該傾斜面は、上記傾斜面と対面し、また、ユーザが処理組立体を傾ける際、関連する側方拡張部の斜面又は凸部を対応する二面角又は対応する凹部へと案内するように適合される。
【００２３】
実際、流体処理組立体は、流体処理手段を収容する少なくとも一つの流体処理モジュールを含む。このモジュールは、一体型使い捨てユニットであり得る。
【００２４】
上記の状況において、モジュールを交換する動作ができるだけ簡易化されるので、本発明は特に有益である。モジュールは、取り付け及び取り外しが簡単なだけではなく、モジュール自体を作動させるためにモジュールに収容される処理手段を交換する必要がない。
【００２５】
処理手段は、例えば、逆浸透、ナノ濾過、限外濾過又は接線精密濾過によって流体を処理するためのものであり、流体処理モジュール内、又はモジュールが複数の場合はそのうちの一つの内部に収容される。
【００２６】
流体処理手段と協調するように適合される供給・受取手段は、純水を製造するためのユニットの形態又は半導体産業に使用される流体精製システムの形態を採り得る。
【００２７】
本発明は、流体処理手段を収容する当該モジュール内部と連通する流体入口・出口コネクタを含む流体処理モジュールを更に提供する。該モジュールは、次のように適合され構成される機能面を有する少なくとも一つの側方拡張部を更に含む。すなわち、該機能面は、モジュールが相補型支持構造体に取り外し可能に取り付けられ、平行移動しないよう該構造体に固定され、かつ、支持構造体に対して傾けることに限定される動作をモジュールに作用させることによりモジュールが解放されることを可能にするように適合され構成される。
【００２８】
上記モジュールの少なくともいくつかの組み込まれ得る好ましい機能は、以下の点を含む：
【００２９】
すなわち、当該モジュールが、コネクタが全体的に垂直に相対する軸線をなす円筒状囲包体（円筒状エンクロージャ）を含むこと；
【００３０】
当該モジュールが、その両側部それぞれにおいてコネクタに実質上平行な二つの側方拡張部を含み、各側方拡張部が、好ましくはノッチの形態を採り、機能面をなす斜面又は凸部に縁取られる開口を含むこと；
【００３１】
当該モジュールが、逆浸透、ナノ濾過、限外濾過又は接線精密濾過によって流体を処理するための流体処理手段を収容すること；
【００３２】
当該モジュールが、コネクタを有するモジュールの縦方向端部で、該コネクタの流体入口・出口オリフィスに対するモジュールの末端側においてユーザの親指のための二つの支持部材を含むこと、である。
【００３３】
最後に、本発明は、流体処理組立体に処理される流体を供給すると共に処理後の流体を受け取るためのユニット、特に純水の製造のためのユニットを提供する。該ユニットは、処理組立体がユニットに取り外し可能に取り付けられた際に処理組立体の相補型コネクタと協調するように適合された流体入口・出口コネクタを含む。該ユニットは次の点を特徴とする。すなわち、該ユニットは、取り付け目的のための二つの対面支持アームを含み、各アームは、 処理組立体のための支持面と、機能面を有するヒール部分とを備える。機能面は、処理組立体がユニットに取り付けられた際に処理組立体を平行移動しないように固定し、また、支持アームに対し処理組立体を傾けることに限定される動作を該組立体に作用させることにより処理組立体を解放するように適合される。
【００３４】
上記ユニットは、少なくともいくつかが組み込まれ得る以下の好ましい特徴を有する：
【００３５】
すなわち、上記ヒール部分が、上記機能面をなす二面角を支持面と共に形成するか、又は、支持面とヒール部分の頂部との間に延び、かつ機能面をなす凹部を有すること；
【００３６】
各支持アームが、反対側の支持アームの内側面に対面する内側面において、凹部を有し、また、支持アームのヒール部分及び支持面を形成すること；
【００３７】
各凹部が、上記凹部によって形成される支持面の上に横たわる傾斜案内面によって縁取られること；
【００３８】
各支持アームが、ユーザの一方の手の少なくともいくつかの指（親指を除く）のための支持部材を含むこと；
【００３９】
各支持アームが、ユニットのコネクタから最も遠い端部にユーザの親指のための支持面を更に含むこと；
【００４０】
各ヒール部分が、その頂部と機能面との間に延び、上記傾斜面と向かい合って配置される傾斜案内面を含むこと；
【００４１】
各支持アームがノッチを含み、該ノッチが、ユニットのコネクタから最も遠い支持アームの端部まで凹部を伸ばし、処理組立体のための他の支持面と同一平面上にある、処理組立体のための追加の支持面を形成すること、である。
【００４２】
本発明の上記機能及び利点は、添付図面の参照と例示目的で与えられる以下の説明から明らかになろう。
【発明を実施するための最良の形態】
【００４３】
図１に示す、純水を生成するためのユニット１０は、囲包体（エンクロージャ）１１と、二つの支持アーム１２を備えた支持構造体とを含む。二つの支持アーム１２は、ユニット１０への水処理組立体１３の取り外し可能な据え付けを可能にする。水処理組立体１３は、この実施例において、純水を生成するための二つの水浄化モジュール１４及び１５からなる組立体を含む。モジュール１４及び１５と、これらを支持するために適合された支持構造体１２は、後の図面よりも図１においてより概略的に示されることに注意されたい。
【００４４】
上記ユニットは、モジュール１４及び１５に水を供給すると共に、モジュール１４及び１５によって処理された水を回収するための雌コネクタ（図１には図示できない）を含む。
【００４５】
本発明に従うシステムの水供給及び処理水受取手段は、従って、ユニット１０から形成され、また、モジュール１４及び１５は、該システムの処理組立体を構成する。
【００４６】
実際には、ユニットによって未処理水が第１モジュール１４へと供給され、該モジュールは該水を処理し、また、ユニット１０は、第２モジュール１５へと処理された水を供給するために処理水を回収する。第２モジュール１５はまた、該処理水を処理するが、第１モジュール１４に使用される手段とは異なる手段を使用する（これは「ポリッシング」として知られている。）。
【００４７】
従って、図示の実施形態の場合のように、例えば、モジュール１５はイオン交換樹脂で満たされ、モジュール１４は逆浸透カートリッジを収容する。
【００４８】
結果として、第２モジュール１５からの出口においてユニット１０によって回収される純水は、実際は超純水である。
【００４９】
ユニット１０のいくつかの付属品、例えば、組立体１３を覆う保護キャップ等は、図１には示されず、また、この例において、各水処理モジュール１４、１５は、使い捨ての一体型ユニットである点にも留意されたい。この目的のため、純水生成ユニット１０の囲包体１１のように、モジュールはプラスチック材料から成形される。
【００５０】
ユニット１０から組立体１３への流体の流れ又はその逆方向への流体の流れを確立する、組立体１３とユニット１０の相補型コネクタが相互に係合するように、水処理組立体１３を純水生成ユニット１０に取り外し可能に取り付けるための手段は、次に詳細に記述される。
【００５１】
図２において上記相補型コネクタの一方がより明瞭に理解され得るように、向かい合う各支持アーム１２は、好ましくは、反対側の支持アーム１２の内側面の方を向く内側面に凹部１６を有する。該凹部は、ヒール部分１７と、支持アーム１２と関連するモジュール１４、１５と協調するように適合された支持面１８とを形成する。
【００５２】
より正確に言えば、図３においてより明瞭に示されるように、各モジュール１４、１５はヘッド１９を有し、ヘッド１９は、該ヘッドの両側部に、ヘッド１９の三つの平行な雄コネクタ２１1−２１3と同じ方向に延びる二つの側方（横方向）拡張部２０を有する。側方拡張部２０は、以下に更に詳述するように、支持アーム１２と協調するように適合される。
【００５３】
しかしながら、図示の実施形態において、各モジュール１４、１５が、モジュール１４、１５を水浄化ユニット１０に連結するためのヘッド１９によって第１軸方向端部が閉じられ、かつ底部２４によって第２軸方向端部が閉じられる実質上円筒状のジャケットもしくは壁を有する容器２２を含む点にまず注目するべきである。
【００５４】
実際、ヘッド１９は、円筒囲包体２３に永久に固定される。該固定は、この例において、ヘッド１９及び円筒囲包体２３を、これらの環状縁端を溶解させて互いに融合することによって互いに溶接することにより行われる。また、底部２４は、プラスチック材料から円筒包囲体２３と一体に成形される。これは、使い捨てモジュール１４、１５をなす一体容器を作り出す。
【００５５】
各モジュール１４、１５の雄コネクタ２１1−２１3は、一方向結合を与え、円筒囲包体２３の軸線（図示せず）に全体的に垂直であり、また、モジュール１４、１５の内部と別個に連通する。雄コネクタ２１1−２１3は、純水生成ユニット１０から処理組立体１３への及びその逆方向の水の流れを確立するため、ユニット１０の雌コネクタの内部に入れ子状に重ね入れられるように適合され、ゴムシール（図示せず）が雄雌コネクタの結合をシールする。
【００５６】
本発明によれば、純水生成ユニット１０及び水処理組立体１３を備えた流体処理システムは、一般に、処理組立体１３上、及び、この例において二つの支持アーム１２からなる支持構造体上において協働機能面を有し、その結果、処理組立体１３及び支持構造体は、相互接触状態になり、処理組立体１３を並進運動（平行移動）しないように固定化し、処理組立体１３が支持構造体１２に取り付けられた場合に処理組立体１３及び純水生成ユニット１０の相補型コネクタを相互に係合するように保持し、かつ、支持構造体１２に対し処理組立体１３を傾斜させることに限定される動作を処理組立体１３に作用させることにより、処理組立体１３が解放されることを可能にする。この傾斜させる動きは、処理組立体１３を純水生成ユニット１０から取り外すため、相互に係合された相補型コネクタにより案内される。
【００５７】
それぞれの協働面を形成するため、図１から３に示した実施形態の場合のように、支持構造体１２及び処理組立体１３は、好ましくは、少なくとも一つの二面角２５、及び、二面角２５の形状に対し相補的な形状を有する少なくとも一つの斜面２６を含む。
【００５８】
より正確には、既述したように、各支持アーム１２は、処理組立体１３のモジュール１４、１５の一方の対応する側方拡張部２０に対する支持平面１８と、ヒール部分１７とを含む。支持アーム１２のヒール部分及び支持面１８は共同で二面角２５を形成する。
【００５９】
この例においてノッチ（切欠き）の形態である、斜面２６で縁取られた開口２７は、モジュール１４及び１５の各側方拡張部２０に形成される。対応する支持アーム１２のヒール部分１７は、開口２７にぴったり重なるように適合される。図１から３に示した実施形態において、モジュール１４及び１５の二つの側方拡張部２０は、実際、これらを共に組み立てて処理組立体１３を形成すると共に、互いに最も離れた二つの側方拡張部２０はそれぞれ、対応する支持アーム１２と協調するように適合される点に留意されたい。
【００６０】
実際、各二面角２５は、６０°から８５°の角度を形成する。該角度は、好ましくは７０°から８０°であり、図１から３に示す好ましい実施形態において７９°である。斜面２６によって形成される角度に対して選択される数値は、実際、二面角２５で形成される角度と同一又は実質上同一である。
【００６１】
実際、各二面角２５は、純水生成ユニット１０と斜面２６のコネクタの方を向き、各モジュール１４、１５のコネクタは反対方向を向く点に更に留意されたい。
【００６２】
図１から３に示す実施形態において、各凹部１６はまた、凹部１６が形成する支持面１８の上に横たわる傾斜面２８で縁取られると共に、凹部１６を組み込んだ支持アーム１２と関連して、側方拡張部２０を、純水生成ユニット１０のコネクタに向かって案内するように適合される。
【００６３】
各ヒール部分１７はまた、その頂部と、該ヒール部分と支持アーム１２の支持面１８がなす二面角２５との間に傾斜面２９を有する。傾斜面２９は、同じ支持アーム１２の傾斜面２８に対面し、ユーザが処理組立体を傾斜させる際に、関連する側方拡張部２０の斜面２６を、対応する二面角２５の方に案内するように適合される。
【００６４】
各支持アーム１２はノッチ３０を含み、ノッチ３０は、ユニット１０のコネクタから最も遠い支持アーム１２の一端部まで凹部１６を延長すると共に、関連する側方拡張部２０の部分３２に対する支持面３１を形成する。部分３２は、側方拡張部２０の開口２７から、コネクタ２１1−２１3から最も遠い側方拡張部の縦方向端部まで延びる。
【００６５】
実際、支持面１８及び３１は同一平面上にあり、また、支持面３１は、ヒール部分１７の後端部から、ユニット１０のコネクタから最も遠い対応する支持アーム１２の自由端部まで延びる。
【００６６】
本発明は、ある改良に有利に向いている。該改良により、処理組立体１３が、ユーザの各親指のための支持部材を含み、かつ、各支持アームが、ユーザの各手の少なくともいくつかの指のための支持部材を含み、これら支持部材は、ユーザが、処理組立体１３をユニット１０に取り付けるために、ユニットを移動させることなく、処理組立体１３を親指で移動させることができるように形作られ構成される。
【００６７】
図１から３に示す実施形態において、各モジュール１４、１５は、モジュール１４、１５のヘッド１９に鉛直に直立する二つの円弧形状凸部３３を含む。各凸部は、コネクタ２１1−２１3の入口及び出口オリフィスから最も遠い側方拡張部２０の縦方向端部から反対側の凸部３３及び上記入口及び出口オリフィスから最も遠いヘッド１９の縦方向端部に向かって延びる。
【００６８】
凹部１６の下に延びる各支持アーム１２の部分は、ピストルバット３４の形状であり、ユーザの対応する手の少なくともいくつかの指のための支持部材を形成する。
【００６９】
実際、図１から３に示す実施形態において、支持アーム１２と協調するように適合された側方拡張部に隣接する二つの凸部３３のみが、モジュール１４、１５を純水生成ユニット１０に据え付ける際に使用される点が理解される。
【００７０】
同様の態様において、処理組立体１３が支持構造体１２から取り外される際の純水生成ユニット１０の移動を防ぐため、処理組立体１３を解放した後、各支持アーム１２のピストルバットの形状の上記部分３４は、純水生成ユニット１０のコネクタから最も離れた端部において、ユーザの一方の親指を受けるように適合された支持面３５を更に含む。
【００７１】
支持部材３３及び３４の人間工学的な特徴の利益、及び、これらがまた、処理組立体１３の取り付け及び取り外しを助長するという事実は明白である。
【００７２】
図４ａから４ｄ及び５ａから５ｄは、この種の処理組立体を純水生成ユニットに取り付ける種々の工程を示す。
【００７３】
これらの図面に示した処理組立体は、モジュール１４又は１５と類似のただ一つのモジュールを含む。
【００７４】
明確にするために、これらの図に示すモジュールは、参照番号１４によって特定される。また、図１から３に用いた参照番号は、図４ａから４ｄ及び５ａから５ｄにも用いた。
【００７５】
同じことが、これらの図に示す、図１に示したユニット１０に類似の純水生成ユニットにも当てはまる。該ユニットの内、支持アーム１２及び雌コネクタ３６1−３６3のみが図４ａから４ｄ及び５ａから５ｄに示される。
【００７６】
最初に、ユーザは、二つの支持アーム１２間にモジュール１４を呈し、次いで、モジュール１４の側方拡張部２０を支持アーム１２のノッチ３０に挿入する。
【００７７】
ユーザは、次に、側方拡張部２０を凹部１６内に挿入し、これらを、ヒール部分１７の頂部と支持アーム１２の傾斜面２８との間に通す。
【００７８】
図４ａ及び５ａに示すように、ユーザは次に、モジュール１４を支持アーム１２間において前方に押し、傾斜面２８は、側方拡張部２０が雌コネクタ３６1−３６3（矢印Ａ）に向かって実質上平行移動するように側方拡張部２０を案内する。
【００７９】
ユーザがモジュール１４の雄コネクタ２１1−２１3の雌コネクタ３６1−３６3への差し込みによって生じる抵抗を感じた際に、ユーザは、モジュール１４を下方に傾斜させ始める。この目的のため、ユーザは、彼の親指をモジュール１４の凸部３３上に置き、いくつかのもしくは全ての指（親指を除く）を支持アーム１２のピストルバット形状の部分３４上に置く。これは、彼が、モジュール１４とピストルバット形状の部分３４（主としてユニットの方を向く部分３４の前面）とを「共に強く握る（squeezing together）」ことにより、ユニットを動かすことなく容易にモジュール１４を係合させることを可能にする。
【００８０】
図４ｂ及び５ｂから分かるように、この傾斜動（矢印Ｂ）の間、ヒール部分１７の各傾斜面２９は、対応支持アーム１２と関連する側方拡張部２０の斜面２６上においてカムのように作用し、斜面２６を対応する二面角２５の方に案内し、これにより、雄コネクタ２１1−２１3の雌コネクタ３６1−３６3内への重ね入れ（矢印Ｃ）を支援する。
【００８１】
図４ｃ及び５ｃから分かるように、ユーザは、側方拡張部２０が対応支持アーム１２の支持面１８及び３１上に完全に載るまで、モジュール１４を傾斜させる。この段階で、雄コネクタ２１1−２１3は、雌コネクタ３６1−３６3内部に完全に入れ子状に重なる。
【００８２】
ユニットが始動すると（図４ｄ及び５ｄ参照）、相互に係合した相補型コネクタ内を流れる水の圧力が、モジュール１４をユニットから離れる方に移動させよとする（矢印Ｄ）。その結果、各斜面２６がなす傾斜機能面３７が、関連する二面角２５がなす傾斜機能面３８に当接し、これにより、使用時にモジュール１４がユニット上において平行移動運動しないようにモジュール１４を固定化する（モジュール１４は、斜面２６と二面角２５が相互に係合することによりロックされる。）。
【００８３】
モジュール１４は、支持アーム１２に対しモジュール１４を反対方向に傾斜させることに制限される動作をモジュール１４に働かせることによって解放され、相互係合した相補型の雄コネクタ２１1−２１3及び雌コネクタ３６1−３６3（矢印Ｅ、図６ａ参照）によって案内される。この目的のため、ユーザは、モジュール１４の底部２４付近に有利に圧力をかけることができ、これにより、長いレバー（てこ）アームの利益を得ることができる。
【００８４】
図６ａ及び７ａから分かるように、この簡単な傾斜動作は、各斜面２６を対応する二面角２５から離脱させ、従って、モジュール１４における単一の簡単な動作によってモジュール１４を解放することができる。
【００８５】
次いで、ユーザは、二つの支持アーム１２からなる支持構造体からモジュール１４を単に抜くだけである。この目的のため、ユーザは、親指を支持面３５上に、また、いくつかのもしくは全ての指（親指を除く）をモジュール１４の容器２２上におけるユニットの方を向く容器２２の側部で容器２２の底部２４付近に有利に置くことができ、モジュール１４を傾斜させるために上記と同様の動作を用いる。
【００８６】
図７ｂから分かるように、傾斜面２８は、モジュール１４が実質上平行移動（矢印Ｆ、図６ｂ及び７ｂ参照）するように側方拡張部２０を再び案内する。
【００８７】
もちろん、本発明は、上記の及び図示の実施形態に限定されず、該形態の異なる実行を包含する。
【００８８】
実際、協働機能面の他の形態が考えられる。
【００８９】
例えば、図８に示す支持アーム１２’は、機能面３８’を形成する凹部２５’を有するヒール部分１７’を含み、機能面３８’は、アームの支持面１８’と、ヒール部分１７の傾斜面２９と同様のヒール部分１７’の傾斜面２９’との間に延びる。機能面３８’は、ヒール部分１７の機能面３８と同様の機能を有し、関連するモジュールの側方拡張部の相補的凸部（該図には図示せず）によって形成される機能面と協働するように適合される。
【図面の簡単な説明】
【００９０】
【図１】本発明に従う水処理組立体及び純水製造用のユニットの斜視図である。
【図２】図１に示すユニットの右側の支持アームの内側面の拡大側面図である。
【図３】図１に示す処理組立体の水処理モジュールのヘッドの拡大斜視図である。
【図４ａ】図１に示した型種のユニットの二つの支持部材及び雌コネクタアームと、図１に示した型種の水処理モジュールを示す斜視図であり、モジュールの取り付けの連続段階を示す。
【図４ｂ】図１に示した型種のユニットの二つの支持部材及び雌コネクタアームと、図１に示した型種の水処理モジュールを示す斜視図であり、モジュールの取り付けの連続段階を示す。
【図４ｃ】図１に示した型種のユニットの二つの支持部材及び雌コネクタアームと、図１に示した型種の水処理モジュールを示す斜視図であり、モジュールの取り付けの連続段階を示す。
【図４ｄ】図１に示した型種のユニットの二つの支持部材及び雌コネクタアームと、図１に示した型種の水処理モジュールを示す斜視図であり、モジュールの取り付けの連続段階を示す。
【図５ａ】図４ａの線Ｖ−Ｖに沿う拡大断面図である。
【図５ｂ】図４ｂに対応する、図４ａの線Ｖ−Ｖに沿う拡大断面図である。
【図５ｃ】図４ｃに対応する、図４ａの線Ｖ−Ｖに沿う拡大断面図である。
【図５ｄ】図４ｄに対応する、図４ａの線Ｖ−Ｖに沿う拡大断面図である。
【図６ａ】水処理モジュールの取り外しの段階を示す、図４ａから４ｄと同様の斜視図である。
【図６ｂ】水処理モジュールの取り外しの段階を示す、図４ａから４ｄと同様の斜視図である。
【図７ａ】図６ａに対応する、図５ａから５ｄと同様の断面図である。
【図７ｂ】図６ｂに対応する、図５ａから５ｄと同様の断面図である。
【図８】本発明の異なる実施形態の支持アームの内側面の側面図である。
【符号の説明】
【００９１】
１０  ユニット
１１  囲包体
１２  支持構造体（支持アーム）
１３  水処理組立体
１４、１５  水浄化モジュール
１６  凹部
１７  ヒール部
１９  ヘッド
１８  支持面
２０  側方拡張部
２１1−２１3  雄コネクタ
２５  二面角
２６  斜面
２７  開口
２８  傾斜面
２９  傾斜面
３０  ノッチ
３６1−３６3  雌コネクタ
３７、３８  機能面
【図１】
0004401962.tif 000002
【図２】
0004401962.tif 000003
【図３】
0004401962.tif 000004
【図４ａ】
0004401962.tif 000005
【図４ｂ】
0004401962.tif 000006
【図４ｃ】
0004401962.tif 000007
【図４ｄ】
0004401962.tif 000008
【図５ａ】
0004401962.tif 000009
【図５ｂ】
0004401962.tif 000010
【図５ｃ】
0004401962.tif 000011
【図５ｄ】
0004401962.tif 000012
【図６ａ】
0004401962.tif 000013
【図６ｂ】
0004401962.tif 000014
【図７ａ】
0004401962.tif 000015
【図７ｂ】
0004401962.tif 000016
【図８】
0004401962.tif 000017